【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
第１芯線と第２芯線とを管状接続具にて接続固着した医療用ガイドワイヤであって、
前記第１芯線は、擬弾性特性を有し、後端から先端へ後端接続径小部と第１芯線後端径大部とを備え、
前記管状接続具は、擬弾性特性を有し、前記第１芯線後端径大部と前記管状接続具とは、オーステナイト相を示すときの横弾性係数が、１７６５０Ｍｐａ以上２１５７５Ｍｐａ以下のＮｉＴｉ合金で、
前記第２芯線は、後端から先端へ第２芯線径大部と先端接続径小部とを備え、
前記管状接続具へ、一方の側から前記後端接続径小部を挿入し、他方の側から前記先端接続径小部を挿入し、
前記管状接続具は、少なくとも、
一方の端部と前記第１芯線後端径大部の後端との当接位置で接続固着され、
他方の端部と前記第２芯線径大部の先端との当接位置で接続固着され、
前記第１芯線後端径大部のねじり剛性をＫ１、前記第２芯線径大部のねじり剛性をＫ２、前記管状接続具のねじり剛性をＪ１とした場合に、
前記第１芯線後端径大部のねじり剛性Ｋ１に対する前記第２芯線径大部のねじり剛性Ｋ２とのねじり剛性比（Ｋ２／Ｋ１）と、前記第１芯線後端径大部のねじり剛性Ｋ１に対する前記管状接続具のねじり剛性Ｊ１とのねじり剛性比（Ｊ１／Ｋ１）とは、
（Ｋ２／Ｋ１）＞（Ｊ１／Ｋ１）＞１  の関係式を満たし、
前記第２芯線は、オーステナイト系ステンレス鋼線のＳＵＳ３０４で、ＪＩＳ規格の化学成分量のうち、Ｎｉが８．００％以上８．２０％以下で、Ｃｒが１８．００％以上１８．２０％以下とし、
前記第２芯線に、固溶化熱処理と、加工率が７０％以上９９．６％以下の伸線と、
最終伸線後に３６０℃から４８０℃の低温焼きなまし処理とを加えることにより、
加工誘起マルテンサイト相への変態割合を２０％以上８０％以下とし、横弾性係数が６８５００Ｍｐａ以上であることを特徴とする医療用ガイドワイヤ。
【請求項２】
請求項１に記載の医療用ガイドワイヤであって、
前記第１芯線後端径大部のねじり剛性Ｋ１に対する前記第２芯線径大部のねじり剛性Ｋ２とのねじり剛性比（Ｋ２／Ｋ１）と、前記第１芯線後端径大部のねじり剛性Ｋ１に対する前記管状接続具のねじり剛性Ｊ１とのねじり剛性比（Ｊ１／Ｋ１）とは、
５．８５≧（Ｋ２／Ｋ１）＞（Ｊ１／Ｋ１）＞１  の関係式を満たすことを特徴とする医療用ガイドワイヤ。
【請求項３】
第１芯線と第２芯線とを管状接続具にて接続固着した医療用ガイドワイヤであって、
前記第１芯線は、擬弾性特性を有し、後端から先端へ後端接続径小部と第１芯線後端径大部とを備え、
前記管状接続具は、擬弾性特性を有し、前記後端接続径小部と前記管状接続具とは、オーステナイト相を示すときの横弾性係数が、１７６５０Ｍｐａ以上２１５７５Ｍｐａ以下のＮｉＴｉ合金で、
前記第２芯線は、後端から先端へ第２芯線径大部と先端接続径小部とを備え、
前記管状接続具へ、一方の側からテーパ部の後端第１径小部を有する前記後端接続径小部を挿入し、他方の側からテーパ部の先端第１径小部を有する前記先端接続径小部を挿入し、
前記管状接続具の一方の内側端部と前記後端第１径小部のテーパ部とが当接し、
前記管状接続具の他方の内側端部と前記先端第１径小部のテーパ部とが当接し、
前記管状接続具は、少なくとも、
一方の内側端部と前記後端接続径小部との当接位置で接続固着され、
他方の内側端部と前記先端接続径小部との当接位置で接続固着され、
前記後端接続径小部のねじり剛性をｋ１１、前記先端接続径小部のねじり剛性をｋ２２、前記管状接続具のねじり剛性をＪ１とした場合に、
前記後端接続径小部のねじり剛性ｋ１１に対する前記先端接続径小部のねじり剛性ｋ２２とのねじり剛性比（ｋ２２／ｋ１１）と、前記後端接続径小部のねじり剛性ｋ１１に対する前記管状接続具のねじり剛性Ｊ１とのねじり剛性比（Ｊ１／ｋ１１）とは、
（ｋ２２／ｋ１１）＞（Ｊ１／ｋ１１）＞１の関係式を満たし、
前記第２芯線は、オーステナイト系ステンレス鋼線のＳＵＳ３０４で、ＪＩＳ規格の化学成分量のうち、Ｎｉが８．００％以上８．２０％以下で、Ｃｒが１８．００％以上１８．２０％以下とし、
前記第２芯線に、固溶化熱処理と、加工率が７０％以上９９．６％以下の伸線と、
最終伸線後に３６０℃から４８０℃の低温焼きなまし処理とを加えることにより、
加工誘起マルテンサイト相への変態割合を２０％以上８０％以下とし、横弾性係数が６８５００Ｍｐａ以上であることを特徴とする医療用ガイドワイヤ。
【請求項４】
請求項３に記載の医療用ガイドワイヤであって、
前記後端接続径小部のねじり剛性ｋ１１に対する前記先端接続径小部のねじり剛性ｋ２２とのねじり剛性比（ｋ２２／ｋ１１）と、前記後端接続径小部のねじり剛性ｋ１１に対する前記管状接続具のねじり剛性Ｊ１とのねじり剛性比（Ｊ１／ｋ１１）とは、
５．００≧（ｋ２２／ｋ１１）＞（Ｊ１／ｋ１１）＞１  の関係式を満たすことを特徴とする医療用ガイドワイヤ。
【請求項５】
請求項１〜４のいずれか一つに記載の医療用ガイドワイヤであって、
前記第２芯線の加工率が、８５％を超え９９．６％以下の伸線とし、
前記第２芯線の横弾性係数が６９５００Ｍｐａを超え７３０００Ｍｐａ以下であることを特徴とする医療用ガイドワイヤ。
【手続補正２】
【補正対象書類名】明細書
【補正対象項目名】００１１
【補正方法】変更
【補正の内容】
【００１１】  上記目的を達成する為、本発明のガイドワイヤは、第１芯線と第２芯線とを管状接続具にて接続固着する。第１芯線は、擬弾性特性を有し、後端から先端へ後端接続径小部と第１芯線後端径大部とを備える。
管状接続具は、擬弾性特性を有し、第１芯線後端径大部と管状接続具とは、オーステナイト相を示すときの横弾性係数が、１７６５０Ｍｐａ以上２１５７５Ｍｐａ以下のＮｉＴｉ合金である。
第２芯線は、後端から先端へ第２芯線径大部と先端接続径小部とを備える。
管状接続具へ、一方の側から前記後端接続径小部を挿入し、他方の側から前記先端接続径小部を挿入する。
管状接続具は、少なくとも、一方の端部と第１芯線後端径大部の後端との当接位置で接続固着され、他方の端部と第２芯線径大部の先端との当接位置で接続固着される。
【手続補正３】
【補正対象書類名】明細書
【補正対象項目名】００１４
【補正方法】変更
【補正の内容】
【００１４】  第１芯線と第２芯線とを管状接続具にて接続固着する。
第１芯線は、擬弾性特性を有し、後端から先端へ後端接続径小部と第１芯線後端径大部とを備える。
管状接続具は、擬弾性特性を有し、後端接続径小部と管状接続具とは、オーステナイト相を示すときの横弾性係数が、１７６５０Ｍｐａ以上２１５７５Ｍｐａ以下のＮｉＴｉ合金である。
第２芯線は、後端から先端へ第２芯線径大部と先端接続径小部とを備える。
管状接続具へ、一方の側からテーパ部の後端第１径小部を有する後端接続径小部を挿入し、他方の側からテーパ部の先端第１径小部を有する先端接続径小部を挿入する。
管状接続具の一方の内側端部と後端第１径小部のテーパ部とが当接する。
管状接続具の他方の内側端部と先端第１径小部のテーパ部とが当接する。
管状接続具は、少なくとも、一方の内側端部と後端接続径小部との当接位置で接続固着され、他方の内側端部と先端接続径小部との当接位置で接続固着される。
後端接続径小部のねじり剛性をｋ１１、先端接続径小部のねじり剛性をｋ２２、管状接続具のねじり剛性をＪ１とした場合に、
後端接続径小部のねじり剛性ｋ１１に対する先端接続径小部のねじり剛性ｋ２２とのねじり剛性比（ｋ２２／ｋ１１）と、後端接続径小部のねじり剛性ｋ１１に対する管状接続具のねじり剛性Ｊ１とのねじり剛性比（Ｊ１／ｋ１１）とは、一定の関係式を満たす。
第２芯線は、オーステナイト系ステンレス鋼線のＳＵＳ３０４で、ＪＩＳ規格の化学成分量のうち、Ｎｉが８．００％以上８．２０％以下で、Ｃｒが１８．００％以上１８．２０％以下とし、
第２芯線に、固溶化熱処理と、加工率が７０％以上９９．６％以下の伸線と、最終伸線後に３６０℃から４８０℃の低温焼きなまし処理とを加えることにより、加工誘起マルテンサイト相への変態割合を２０％以上８０％以下とし、横弾性係数が６８５００Ｍｐａ以上であることを特徴とする。